(57)【要約】  本発明は、特定のディジタル値の数字を入力するため操作者が操作できるディジタル・キーボード(２)と、少なくとも入力された数字を表示するための表示手段(３)と、表示されたディジタル値を有効化ため操作者が操作できる有効化手段(５)と、入力補助システム(６)とからなる装置(１)に関し、この入力補助システム(６)が入力された数字を入力されたまま取得する取得手段(９)と、有効なディジタル値を知っており、１つの数字の入力毎に、上記の有効ディジタル値に基づいて少なくとも１つの補助数字を決定し、１組の既に入力された数字と共に提案値を形成して、この提案値を表示するため表示手段(３)に伝達する処理手段(10)とからなる。【選択図】    図１
2008525874.tif 000002
【特許請求の範囲】
【請求項１】
その幾つかのみが有効である所定の範囲内にあるひとつづきの数字からるディジタル値を入力する方法であって、この方法によれば、操作者が少なくとも１つの数字を入力する間に、以下の連続する操作、
ａ）特定の条件が現れると、既に入力された１組の数字と組み合わされ、これらと共に提案値を形成する少なくとも１つの補助数字が、上記の有効なディジタル値の関数として決定されて、提案され、
ｂ）上記の提案値が操作者に提供される
ことが、提供されたディジタル値を操作者が有効化するまで、繰り返し自動的に行なわれものにおいて、
工程ａ）は、操作者が１つの数字を入力する毎に実施され、
工程ａ）において、入力された数字の右にある１つ以上の位置に対し幾つかの数字が同時に可能であれば、この位置は完了せず、
工程ｂ）において、入力された数字を提案された数字から区別すると共に数字で完了していない位置を目立たさせながら、上記の提案値が操作者に提供されることを特徴とするもの。
【請求項２】
請求項１に記載の方法であって、
工程ａ）では、１つの数字を入力中、この数字は左から第１番目の位置に置かれ、この第１番目の位置では、この数字は、有効な少なくとも１つのディジタル値上の同じ位置に位置する同じ数字に対応し、この位置の左側にある位置は最小の有効ディジタル値上の同じ位置にある数字で完了することを特徴とするもの。
【請求項３】
前項請求項のいずれかの方法であって、
工程ａ）において、所定数の数字が入力されると特定の条件が現れることを特徴とするもの。
【請求項４】
前記請求項１〜３のいずれか１項に記載の方法であって、
工程ａ）において、少なくとも１つの特定の位置に対する数字の提案の可能性が所定数未満であると、特定の条件が現れることを特徴とするもの。
【請求項５】
前記請求項１〜４のいずれか１項に記載の方法であって、
工程ｂ）における区別が異なるフォント(文字)の使用にあることを特徴とするもの。
【請求項６】
前記請求項１〜５のいずれか１項に記載の方法であって、
操作者が間違った数字を入力中に、対応するエラー・メッセージが出されることを特徴とするもの。
【請求項７】
前記請求項１〜６のいずれか１項に記載の方法であって、
上記の有効なディジタル値が無線通信手段の各種の周波数に対応することを特徴とするもの。
【請求項８】
その幾つかのみが有効である所定の範囲内にあるひとつづきの数字からなり、ディジタル値を入力する装置であって、この装置(１)は、
特定のディジタル値の数字を入力するために、操作者によって操作され得るディジタル・キーパッド(２)と、
少なくとも入力された数字を自動的に表示するための表示手段(３)と、
こうして表示されたディジタル値を有効化するために、操作者によって操作し得る有効化手段(５)と、
上記のディジタル・キーパッド(２)と組み合わせられる入力補助システム(６)とからなり、この入力補助システム(６)が、
上記のディジタル・キーパッド(２)により操作者が入力する数字を自動的に取得する取得手段(９)と、
上記の有効ディジタル値を知っていて、上記の有効ディジタル値を関数として、１組の既に入力された数字と組み合わされて提案値を形成する少なくとも１つの補助数字を、特定の条件が現れると自動的に決定するデータ処理手段(10)であって、このデータ処理手段(10)はこの提案値を表示するように、上記の表示手段(３)に伝達するものからなり、
上記の取得手段(９)が、これらの数字の入力が為されると、それらの数字を取得し、
上記のデータ処理手段(10)が、操作者が１つの数字を入力する毎に提案値を形成し、入力された１つの数字の右側の１つ以上の位置に対し幾つかの数字が同時に可能な場合この位置を完了せず、そして
上記の表示手段(３)が、入力された数字を提案された数字から区別すると共に数字で完了していない位置を目だ立たせながら、上記の提案値を操作者に提供することを特徴とするもの。
【請求項９】
請求項８に記載の装置であって、
上記のデータ処理手段(10)が、上記の有効なディジタル値のリストからなるデータベース(12)を備えることを特徴とするもの。
【請求項１０】
請求項８に記載の装置であって、
上記のデータ処理手段(10)が、特定のデータを関数として、上記の有効なディタル値を自動的に決定する演算手段(13)からなることを特徴とするもの。
【請求項１１】
請求項１０に記載の装置であって、
更に、操作者が上記の特定のデータを入力できるようにする入力手段(14)を備えることを特徴とするもの。
【請求項１２】
請求項８から１１のいずれか１項に記載の装置であって、
上記のデータ処理手段(10)が間違っている、入力数字を検出し、間違った入力を検出すると、それに対応するエラー・メッセージを表示するよう要請する合図を表示手段(３)に伝達することのできることを特徴とするもの。
【発明の詳細な説明】
【技術分野】
【０００１】
本発明はディジタル値を入力する方法と装置に関する。
【背景技術】
【０００２】
更に詳しくは、本発明は、一続きの数字からなり、所定の範囲に位置し、その幾つかのみが有効であるディジタル値を入力することに関する。特に、例えば、航空機に搭載され、特に、航空機のパイロットと地上通信者との間での通信を可能にする無線である、標準の無線通信手段の特定の周波数あるいは周波数帯を含む。
【０００３】
これをするため、入力装置は一般に、
特定のディジタル値の数字を入力するために、操作者によって操作され得る入力手段と、
入力された全ての数字を表示するための表示手段と、
こうして表示されたディジタル値を有効化するために、操作者によって操作し得る有効化手段とからなる。
【発明の開示】
【発明が解決しようとする課題】
【０００４】
航空機の無線通信手段では、通常、入力手段は２重の回転スイッチ(あるいは、２重リングの回転ノブ)の形態で実施されている。この２重の回転スイッチには整数の数字を選択するための大径の回転リングと、小数の数字を選択するための小径の回転リングとが設けられている。然し、航空機で無線通信周波数を入力するためのそのような回転スイッチの使用は、使用者にとって特に３つのタイプの問題を提起する。
ａ）新しいチャネルの導入は一般に入力される数字の数をかなり増加させる。２重回転スイッチの使用は適切な周波数(かなり多い回転数)を発見するのに必要とされる時間を考えると、そのような場合は適切ではない。
ｂ）天候条件が良くないと、航空機の飛行デッキで感じる振動により回転スイッチの使用を難しくする。
ｃ）地上の管制センタから伝達される合図は入力される周波数の重要な数字のみからなる。でも、パイロットは常にその周波数を形成する全ての数字と、管制センタからパイロットに伝達されない重要でない数字もまた入力しなければならない。この状況はパイロットに対し理解力の問題を提起し、この問題は航空機に新しい無線周波数帯を導入することにより悪化する。
【０００５】
本発明はこれらの欠点を解消することを目的とし、(ひとつづきの数字であって、所定の範囲内にあり、その幾つかのみが有効である)ディジタル値を入力する方法に関する。この方法によれば、特に、早くて間違いの無い入力ができる。
【課題を解決するための手段】
【０００６】
この目的で、本発明によれば、上記の方法は、操作者が少なくとも１つの数字を入力する間に、以下の連続する操作が、提供されたディジタル値を操作者が有効化するまで、繰り返し自動的に行なわれることを特徴とする。
ａ）操作者が１つの数字を入力する毎に、以下に記載する特定の条件が現れると、既に入力された１組の数字と組み合わされ、これらと共に提案値を形成する少なくとも1つの補助数字が、上記の有効なディジタル値を関数として決定されて、提案される。
ｂ）入力された数字を提案された数字から区別しながら、上記の提案値が操作者に提供される。
【０００７】
よって、(入力された数字と共に少なくとも部分的に有効なディジタル値を形成することのできる)補助数字を自動的に提案し、提供することにより、操作者は入力すべき有効ディジタル値の全ての数字を入力する必要はなく、これにより入力の時間ならびにエラーの危険を減少できる。上記のディジタル値は、例えば、航空機に搭載される無線通信手段の色々の周波数に対応するのが好ましい。
【０００８】
工程ａ）では、
１つの数字を入力中、この数字は左から第１番目の位置に置かれ、この第１番目の位置では、この数字は、有効な１つ以上のディジタル値上の同じ位置に位置する同じ数字に対応し、この位置の左側にある位置は最小の有効ディジタル値上の同じ位置にある数字で完了し、および／または
入力された数字の右側の１つ以上の位置に対し幾つかの数字が同時に可能であれば、この位置は完了しないのが望ましい。
【０００９】
更に、工程ｂ）で提供される提案値上で、数字によって完了しない位置もまた適宜目立たさせるのが望ましい。
【００１０】
更に、工程ａ）では、
以下の場合、上記の特定の条件が現れると考えるのが望ましい。
所定数の数字が入力された場合および／または
１つ以上の特定の位置に対する数字の提案の可能性が所定数未満である場合。
加えて、
工程ｂ）では、上記の区別が異なるフォント(文字)の使用にあり、および／または
操作者が間違った数字を入力している間、対応するエラー・メッセージが発せられるのが望ましい。
【００１１】
本発明は、又、(ひとつづきの数字からなり、所定の範囲に位置し、その幾つかのみが有効である)ディジタル値を入力するための装置に関する。
【００１２】
本発明によれば、
特定のディジタル値の数字を入力するために、操作者によって操作され得る入力手段と、
少なくとも入力された数字を自動的に表示するための表示手段と、
こうして表示されたディジタル値を有効化するために、操作者によって操作し得る有効化手段と
からなるタイプの入力装置であって、
上記の入力手段がディジタル・キーパッドであり、
上記の入力装置が、更に、上記のディジタル・キーパッドと組み合わせられる入力補助システムを備え、この入力補助システムが
これらの数字を入力している際、ディジタル・キーパッドにより操作者が入力する数字を自動的に取得するための取得手段と、
上記の有効ディジタル値を知っていて、操作者が数字を入力する毎に上記の有効ディジタル値を関数として、１組の既に入力された数字と組み合わされて提案値を形成する少なくとも１つの補助数字を自動的に決定するデータ処理手段であって、このデータ処理手段はこの提案値を表示する上記の表示手段に伝達するものからなることを特徴とする。
【００１３】
本発明によれば、上記の入力装置は、特に回転スイッチを備えた標準の入力装置と比べて、少なくとも以下の利点を提供する。
ディジタル・キーパッドの使用により、入力がより早くて、より確実となる。
入力すべきディジタル値の(操作者用のための)再収集がより簡単となる。
これらの数字に関する合図を操作者が受け取ると数字を入力し、これによりイクステント(範囲)のような合図の繰り返しができる可能性がある。
特に、間隔の狭いディジタル値(例えば、周波数あるいは周波数帯)の数字を入力することが必要な場合入力がより簡単となる。
入力中(例えば、乱気流による)振動があっても、目標ディジタル値を考慮しなくても入力時間が均一となる。
【００１４】
第１の変形例では、上記のデータ処理手段は上記の有効ディジタル値のリストからなるデータベースを備える。
【００１５】
第２の変形例では、上記のデータ処理手段は特定のデータを関数として上記の有効ディジタル値を自動的に決定するための計算手段からなる。この場合、本発明による入力装置は更に、操作者が上記の特定のデータ、特に、周波数範囲の下限および上限ならびに(２つの連続する周波数の間で均一である間隙に対応する)周波数増加分(インクレメント)を入力することができる入力手段を備えることが好ましい。
【００１６】
加えて、特定の実施例では、上記のデータ処理手段は、間違っている、入力数字を検出でき、間違った入力を検出した際は、対応するエラー・メッセージを表示するよう要請する合図を表示する手段に伝達することができる。
【発明を実施するための最良の形態】
【００１７】
添付図面の１つの図により本発明が実施されている方法を明確にする。
図では概略が示されている、本発明による装置１は、所定の範囲内にあるひとつづきの数字であって、そのうちの幾つかのみが有効であるディジタル値を操作者が入力できるようになされている。これらの有効ディジタル値は、特に、標準の無線通信手段および特に、航空機に搭載される無線通信手段の周波数あるいは周波数帯に対応する。この場合、航空機(特に、輸送用飛行機)のパイロットと地上に位置する管制センタの操作者との間で標準の通信をできるようにする無線を含むのが好ましい。
【００１８】
このため、上記の装置1は、
特定のディジタル値の数字を入力するために、操作者によって操作され得る入力手段２と、
少なくとも入力された数字を標準の視野スクリーン４に自動的に表示するための表示手段３と、
こうして視野スクリーン４上に表示されたディジタル値を有効化するために、操作者によって操作し得る、例えば、ノブである有効化手段５と
からなるタイプのもである。
【００１９】
標準の方式では、有効化されるディジタル値は、例えば、上記の入力装置１と組み合わされ、これにより制御される無線通信手段(図示略)であるシステムにより考慮される。
【００２０】
本発明によれば、特に、早くて間違いの無い入力を行なうことができるように、
上記の入力手段２がディジタル・キーパッドであり、
上記の入力装置１が、更に、上記のディジタル・キーパッド２と上記の有効化手段５とにそれぞれリンク７と８とを介して連結される入力補助システム６を備える。
【００２１】
本発明によれば、上記の入力補助手段６は、
これらの数字を入力している際にディジタル・キーパッド２により操作者が手で入力する数字を自動的に取得する取得手段９と、
以下に特記する有効数字を知っていて、操作者が数字を入力する毎に上記の有効ディジタル値を関数として、１組の既に入力された数字と組み合わされて提案値を形成する少なくとも１つの補助数字を自動的に決定する、上記の取得手段９にリンク11で連結されているデータ処理手段10であって、このデータ処理手段10は、次いで、この提案値を視野スクリーン４に表示するように、上記の表示手段３にリンク16を介して自動的に伝達するものからなる。
【００２２】
本発明の範囲内では、どのディジタル値もこの値の特定の位置にある複数個の数字からなると仮定する。よって、例えば、ディジタル値“１２８”については、
数字“１”は左から始まる第１位置にあり、
数字“２”は左から始まる第２位置にあり、
数字“８”は左から始まる第３番目であって、最後の位置あるいは右から始まる第１の位置にある。
【００２３】
特定の実施例では、１つの数字を入力中、上記のデータ処理手段10は、
ａ）この数字を左から始まる第１番目の位置Ｐ１に置き、この第１番目の位置Ｐ１では、この数字は、有効な少なくとも１つのディジタル値上の同じ位置(位置Ｐ１)に位置する同じ数字に対応し、そして
ｂ）この位置Ｐ１の左側にある位置を［上記の特徴(ａ)を適宜満足する全ての有効ディジタル値のうちの］最小の有効ディジタイル値上の同じ位置にある数字で完了し、
視野スクリーン４に表示される提案値を形成する。
【００２４】
更に、入力された数字の右にある少なくとも１つのの位置Ｐ２に対し幾つかの数字が同時に可能であれば (即ち、上記の入力された数字からなる幾つかの有効ディジタル値が上記の位置Ｐ２で異なる数字を提供する場合)データ処理手段10はこの位置Ｐ２を完了しない。
【００２５】
従って、提案値では、全ての位置が常に(入力あるいは提案された)数字で完了されるわけではない。
【００２６】
また、好ましい実施例では、視野スクリーン４に提供されるどの提案値でも、以下に示す小さな水平ストロークを表示することによって、数字で完了していない全ての位置を適宜目立たたせている。
【００２７】
更に、上記の表示手段３は、好ましくは異なる性質のフォント(文字)を用いて、提案値を入力値から区別し、適切に相違させている。勿論、その他の区別方法(異なる色、異なるグラフィック等)も本発明の範囲内で可能である。
【００２８】
例としては、以下の表示
2008525874.tif 000003
は
(小さなフォントの)数字‘１’と‘９’がデータ処理手段10により提案され、
(大きなフォントの)数字‘２’が操作者により入力され、
(各毎に‘−’で目立たされている)３つの位置は完了されていないことを意味する。
【００２９】
特定の実施例では、上記のデータ処理手段10は特定の条件が現れる場合のみ数字を提案する。本発明によれば、上記の特定条件は以下の場合に現れると考えられる。
所定数の数字が特定の値に対し入力される場合。よって、例としては、提案がなされるのは入力された第２番目(あるいは第３番目等)以降のみであり、および／または
少なくとも１つの特定の位置に対して数字の提案の可能性が所定数未満である場合。例えば、２(あるいは３等)の可能性を越えると、提案はなされない。
【００３０】
更に、上記のデータ処理手段10は、間違っている(ディジタル・キーパッドにより)入力された数字を検出し、間違った入力を検出した際は、視野スクリーン４に、これに対応するエラー・メッセージを表示するよう要請する合図を表示手段３に伝達することができる。
【００３１】
前記のように、上記のデータ処理手段10は、有効な、即ち入力装置１により入力できるディジタル値を知っている。
【００３２】
第１の変形例では、上記のデータ処理手段10は、このため、特に集積データベース12を備え、この集積データベース12は上記の全ての有効なディジタル値のリスト、例えば、無線の色々な可能な周波数(あるいは周波数帯)のリストからなる。
【００３３】
第２の変形例では、上記のデータ処理手段10は、特定のデータを関数として、有効なディジタル値を自動的に決定するための演算手段13からなる。この場合、本発明による入力装置１は更に、例えば、リンク15によりシステム６に連結されていて、操作者が上記の特定のデータを入力することのできる、入力手段14、特に、キーパッドを備えるのが好ましい。特定の実施例では、この特定のデータは周波数範囲の下限および上限ならびに(２つの連続する周波数の間で均一と考えられる間隙に対応する)周波数増加分、例えば、２５Hz あるいは１００Hzからなり、このデータのみが全ての有効ディジタル値を決定することができる。
【００３４】
本発明による上記の入力装置１は多数の利点を提供し、特に、
ディジタル・キーパッド２の使用により、入力がより早くて、より確実となる。
入力すべきディジタル値あるいは周波数の(操作者のための)再収集がより簡単となる。
これらの数字に関する合図を操作者が受け取ると数字を入力し、(これによりイクステント(extent)のような合図の繰り返しができる)可能性ができる。、
特に、間隔の狭い周波数あるいは周波数帯を入力することが必要な場合入力がより簡単となる。
乱気流の場合でも、目標ディジタル値あるいは周波数を考慮しなくても入力時間が均一となる。
【００３５】
特定の実施例では、有効化手段５と入力手段14がキーからなり、ディジタル・キーパッド２の一部を形成する。
【００３６】
以下にＶＨＦ(超高周波)タイプのＲＦ無線通信手段とＨＦ(高周波)タイプの高周波無線通信手段とにそれぞれ関連する入力の２つの例を提供する。
【００３７】
Ｉ．ＶＨＦ無線通信手段
周波数バンド(帯域)                        １１８.０００から１３６.９７５
１１８.０００から１３６.７５５
周波数間隔                                ２５ kHz
ａ／  入力装置１は、ディジタル・キーパッド２により操作者が入力した最初の数字に従って第１番目の数字を提案する。
入力された最初の数字が‘１’であれば、入力装置１は
2008525874.tif 000004
を提案し、表示する。
‘１’の後には多くの選択の可能性がありすぎるので、入力装置１は上記の‘１’の右の位置に対する如何なる解決も提案しない。
【００３８】
入力された２番目の数字が‘１’であれば、入力装置１は
2008525874.tif 000005
を表示する。
【００３９】
入力された２番目の数字が‘２’/‘３’であれば、入力装置１は
2008525874.tif 000006
を表示する。
【００４０】
他方、入力された２番目の数字が‘８’／‘９’であれば、入力装置１は百位および小数数字を提案する。
2008525874.tif 000007
この場合、入力に最も近い有効周波数が処理されている。
【００４１】
入力された最初の数字が‘８’／‘９’であれば、入力装置１は百位、拾位および小数数字を提案する。
2008525874.tif 000008
その他の可能な周波数は無いので、入力装置1は周波数の整数部を直接提案する。
【００４２】
入力された最初の数字が‘２’／‘３’であれば、入力装置１は百位の数字を提案する。
2008525874.tif 000009
入力された最初の数字が‘１’でも、‘２’でも、‘３’でも、‘８’でも、‘９’でもなければ、(従って、間違っている)入力を入力装置１は表示するが、操作者が入力を続行するのを妨げず、エラー・メッセージ、例えば、
‘VHFx  ENTRY NOT VALID’
も表示される。
【００４３】
例えば、操作者が最初の数字として‘４’を入力すれば、入力装置１は、よって、上記のエラー・メッセージに加えて、
2008525874.tif 000010
を表示する。
【００４４】
通常、間違った数字を入力する場合、入力装置１は間違った入力を表示するが、操作者が入力を続行するのを妨げず、同時に
エラー・メッセージ、例えば、
‘VHFx  ENTRY NOT VALID’
を表示する。
【００４５】
ｂ／少なくとも３つの整数の数字が視野スクリーン４に(それらの数字が完全に操作者によって入力されたからか、あるいはそれらの幾つかがデータ処理手段10によって提案されたかで)表示されると、入力装置１は、周波数が、複数の‘０’で終了することを提案する。この時点で、操作者が入力を続行すれば、入力装置１は提案された各０を入力された数字と置き換える。
【００４６】
ｃ／周波数間隙が２５ｋHzの場合、小数第２位数字の位置に操作者が‘２’あるいは‘７’を入力すると、入力装置１は提案された最後の‘０’を‘５’と置き換える。特に、各周波数帯の間隔が２５kHzであると、ＶＨＥ周波数は単に００、２５、５０あるいは７５で終了する。
【００４７】
例えば、
入力された４番目の数字が‘４’だと、入力装置１は
2008525874.tif 000011
を提案し、表示する。
【００４８】
入力された５番目の数字が‘２’／‘７’だと、入力装置１は
2008525874.tif 000012
を提案し、表示する。
【００４９】
すると、操作者は最後の数字を入力する必要なくこの周波数を有効化でき、そしてこの周波数は有効である。
【００５０】
ｄ／通常、操作者により入力されたか入力装置１により提案されたディジタル値(周波数)の全ての数字が視野スクリーン４上に表示されると直ぐに、操作者は有効化手段５によりこのディジタル値(周波数)を有効化できる。ついで、入力は
終了する。
【００５１】
II．  ＨＦ無線通信手段
2008525874.tif 000013
ＶＨＦ周波数とは反対に、入力装置１は、この場合、最初の数字が入力されると直ぐに必ずしも補助数字を提案しないが、一般には、以下の例のように、第２の数字以降は提案をする(特に、ＨＦ周波数の整数部は１つあるいは２つの数字からなることができる。)
【００５２】
Ａ．  オプション１：周波数帯の間隔は１ｋHz
ａ／入力された最初の数字が‘０’だと、入力装置１は
2008525874.tif 000014
を表示する。
【００５３】
次の数字(入力された２番目の数字)が例えば‘３’であると、入力装置１はその‘０’を消し、表示をクリアし、複数の‘０’での完了を提案する。
2008525874.tif 000015
【００５４】
第２の入力された２番目の数字が‘２’であれば、
2008525874.tif 000016
を提案し、表示する。
(これは周波数帯域の最初の値に対応する。)
【００５５】
ｂ／  入力された最初の数字が‘２’であれば、入力装置は
2008525874.tif 000017
を表示する。
【００５６】
次の数字(入力された２番目の数字)が‘８’／‘９’であれば、入力装置１は表示をクリアし、複数の‘０’での完了を提案する。
2008525874.tif 000018
【００５７】
‘２’の後の次の数字(入力された２番目の数字)が‘８’でもなく‘９’でもなく、有効な数字(即ち、‘０’、‘１’、‘２’あるいは‘３’)であれば、入力装置１は表示をそのままにし、入力される２番目の数字が‘１’とすると、複数の‘０’での完了を表示し、提案する。
2008525874.tif 000019
【００５８】
ｃ／入力された最初の数字が‘０’でもなく‘１’でもなく、‘２’でもなく(この数字が ‘３’と‘９’との間であれば)、入力装置１は表示をクリアし、複数の‘０’での終了を提案する。
2008525874.tif 000020
【００５９】
Ｂ．  オプション２：周波数帯の間隔は１００ｋHz
ａ／入力された最初の数字が‘０’だと、入力装置１は
2008525874.tif 000021
を表示する。
【００６０】
次の数字(入力された２番目の数字)が例えば‘３’であると、入力装置１はその‘０’を消し、表示をクリアし、複数の‘０’での完了を提案する。
2008525874.tif 000022
【００６１】
入力された２番目の数字が‘２’であれば、入力装置１は
2008525874.tif 000023
を提案し、表示する。
【００６２】
ｂ／  入力された最初の数字が‘２’であれば、入力装置１は
2008525874.tif 000024
を表示する。
【００６３】
次の数字(入力された２番目の数字)が‘８’あるいは‘９’であれば、入力装置１は表示をクリアし、複数の‘０’での完了を提案する。
2008525874.tif 000025
【００６４】
‘２’の後の次の数字(入力された２番目の数字)が‘８’でもなく‘９’でもなく、有効な数字(即ち、‘０’、‘１’、‘２’あるいは‘３’)であれば、入力装置１は表示をそのままにし、入力される２番目の数字が‘１’とすると、複数の‘０’での完了を提案する。
2008525874.tif 000026
【００６５】
ｃ／入力された最初の数字)が‘０’でもなく‘１’でもなく、‘２’でもなく(この数字が ‘３’と‘９’との間であれば)、入力装置１は表示をクリアし、複数の‘０’での完了を提案する。
2008525874.tif 000027
【図面の簡単な説明】
【００６６】
【図１】本発明による入力装置の線図である。
【符号の説明】
【００６７】
１…ディジタル値入力装置、２…ディジタル・キーパッド、３…表示手段、５…有効化手段、６…入力補助システム、９…取得手段、10…データ処理手段、12…データベース、13…演算手段、14…入力手段。
【図１】
2008525874.tif 000028
【国際調査報告】
2008525874.tif 000029
2008525874.tif 000030
2008525874.tif 000031
2008525874.tif 000032